(57)【特許請求の範囲】
【請求項１】
複数の送信機を有する基地局と複数の移動局との間で複数の搬送波周波数を用いてＴＤＭＡ通信を行う移動通信システムにおけるチャネル割当て方法において、
前記基地局は、
前記移動局からチャネル割当て要求を受信するステップと、
全ての前記送信機が使用していないタイムスロットを検出するステップと、
前記移動局に、上記検出したタイムスロットにおけるチャネルを割当てるステップと
を有することを特徴とするチャネル割当て方法。
【請求項２】
複数の送信機を有する基地局と複数の移動局との間で複数の搬送波周波数を用いてＴＤＭＡ通信を行う移動通信システムにおけるチャネル割当て方法において、
前記基地局は、
前記移動局からチャネル切替え要求を受信するステップと、
該チャネル切替え要求のあったタイムスロットを未使用のタイムスロットとみなして、全ての前記送信機が使用していないタイムスロットを検出するステップと、
前記移動局に、上記検出したタイムスロットにおけるチャネルを割当てるステップと
を有することを特徴とするチャネル割当て方法。
【請求項３】
複数の送信機を有する基地局と複数の移動局との間で複数の搬送波周波数を用いてＴＤＭＡ通信を行う移動通信システムにおいて、
前記移動局は、基地局に対して、チャネル割当て要求又はチャネル切替え要求を行い、
前記基地局は、チャネル切替え要求のあったタイムスロットを未使用のタイムスロットとみなして、全ての前記送信機が使用していないタイムスロットを検出し、前記移動局に、該検出したタイムスロットにおけるチャネルを割当てることを特徴とする移動通信システム。
【請求項４】
複数の送信機を有する基地局と複数の移動局との間で複数の搬送波周波数を用いてＴＤＭＡ通信を行う移動通信システムにおける基地局において、
前記移動局からチャネル割当て要求を受信する手段と、
全ての前記送信機が使用していないタイムスロットを検出する手段と、
前記移動局に、上記検出したタイムスロットにおけるチャネルを割当てる手段と
を有することを特徴とする基地局。
【請求項５】
複数の送信機を有する基地局と複数の移動局との間で複数の搬送波周波数を用いてＴＤＭＡ通信を行う移動通信システムにおける基地局において、
前記移動局からチャネル切替え要求を受信する手段と、
該チャネル切替え要求のあったタイムスロットを未使用のタイムスロットとみなして、全ての前記送信機が使用していないタイムスロットを検出する手段と、
前記移動局に、上記検出したタイムスロットにおけるチャネルを割当てる手段と
を有することを特徴とする基地局。
【発明の詳細な説明】
【０００１】
【発明の属する技術分野】
本発明は、移動通信システム、チャネル割当て方法及び基地局に関し、特に、複数の送信機を有する基地局と複数の移動局との間で複数の搬送波周波数を用いてＴＤＭＡ通信を行う移動通信システム、チャネル割当て方法及び基地局に関する。
【０００２】
【従来の技術】
図４に、２つの送信機（送信機Ａと送信機Ｂ）を有する基地局を用いたＴＤＭＡ無線通信システムのチャネル割当例を示す。１フレームは、４タイムスロット（ｔ１  〜ｔ４  ）で構成されている。送信機Ａのタイムスロット（ｔ１  〜ｔ４  ）をタイムスロット１〜４と呼び、送信機Ｂのタイムスロット（ｔ１  〜ｔ４  ）をタイムスロット５〜８と呼ぶ。
【０００３】
ハッチのかけてあるタイムスロットは、各送信機においてチャネルが割当てられていることを示している。つまり、送信機Ａでは、スロット番号ｔ２及びｔ４のタイムスロット（タイムスロット２、４）、送信機Ｂではスロット番号ｔ１及びｔ４のタイムスロット（タイムスロット５、８）にチャネルが割当てられている。逆に、送信機Ａでは、スロット番号ｔ１とｔ３のタイムスロット（タイムスロット１、３）、送信機Ｂでは、スロット番号ｔ２とｔ３のタイムスロット（タイムスロット６、７）が未使用タイムスロットである。
【０００４】
図５に、従来のチャネル割当フローを示す。
基地局は、移動局からのチャネル割当て要求又はチャネル切替要求を受けると（Ｓ６０）、各々の送信機における未使用タイムスロットの全て（タイムスロット１、３、６、７）から空きチャネルを検出する（Ｓ６２）。空きチャネルが有ると判断されたときは（Ｓ６４：ＹＥＳ）、移動局に対してチャネル割当が行われる（Ｓ６６）。一方、空きチャネルがないと判断されたときは（Ｓ６４：ＮＯ）、チャネル割当拒否が行われる（Ｓ６８）。
【０００５】
したがって、チャネル割当されるタイムスロットは、各送信機で独立に決められる。
図６に、従来の基地局の構成例を示す。
基地局７０は、２つの送信機５１、５２及び２つの受信機５３、５４を有する。更に、基地局における制御機能を司る制御装置７５も有している。
【０００６】
受信機５３、５４は、移動局からのチャネル割当て要求又はチャネル切替要求（Ｓ６０）を受信する機能、及び、その要求内容を制御装置７５に伝える機能を有する。また、制御装置７５が、未使用タイムスロットの全てから空きチャネルを検出（Ｓ６２）するよう指示すると、電界レベル測定を行い、電界レベル測定の結果を制御装置７５に伝える機能も有する。
【０００７】
制御装置７５は、移動局からのチャネル割当て要求又はチャネル切替要求要求（Ｓ６０）に従い、電界レベル測定を行う搬送波周波数及びタイムスロットを受信機に指示する機能を有する。また、電界レベル測定の結果から、空きチャネルの有無の判断を行い（Ｓ６４）、判断に従って送信機５１又は５２にチャネル割当（Ｓ６６）あるいはチャネル割当拒否（Ｓ６８）を伝える機能を有する。チャネル割当する際に制御装置７５は割当チャネルの搬送波周波数及びタイムスロットを送信機に指示する。
【０００８】
【発明が解決しようとする課題】
ところで、従来例の場合は、全ての送信機において使用されていないタイムスロット（図４のスロット番号ｔ３のタイムスロットに対応）の有無に関係なく、複数の送信機に同一スロット番号のチャネルを割当てることがあった（図４のスロット番号ｔ４の状態に対応）。同一基地局内では、複数の送信機が近接しているため、同一スロット番号のチャネルで送信を行うと、互いの送信電波が廻り込み、送信相互変調による干渉波の発生を招く。
【０００９】
そこで、送信相互変調を低減するために、送信機間にシールドを設置する方法、アンテナ距離を離す方法、ハイブリッドを挿入する方法等の方法があるが、これらの方法は基地局の小型化、経済化の点で問題が生じる。
本発明は、上記問題に鑑みなされたものであり、基地局の小型化、経済化を妨げることなく、送信相互変調を低減することを目的とするものである。
【００１０】
【課題を解決するための手段】
請求項１に記載された発明は、複数の送信機を有する基地局と複数の移動局との間で複数の搬送波周波数を用いてＴＤＭＡ通信を行う移動通信システムにおけるチャネル割当て方法において、前記基地局は、前記移動局からチャネル割当て要求を受信するステップと、全ての前記送信機が使用していないタイムスロットを検出するステップと、前記移動局に、上記検出したタイムスロットにおけるチャネルを割当てるステップとを有することを特徴とする。
【００１１】
請求項２に記載された発明は、複数の送信機を有する基地局と複数の移動局との間で複数の搬送波周波数を用いてＴＤＭＡ通信を行う移動通信システムにおけるチャネル割当て方法において、前記基地局は、前記移動局からチャネル切替え要求を受信するステップと、該チャネル切替え要求のあったタイムスロットを未使用のタイムスロットとみなして、全ての前記送信機が使用していないタイムスロットを検出するステップと、前記移動局に、上記検出したタイムスロットにおけるチャネルを割当てるステップとを有することを特徴とする。
【００１２】
請求項３に記載された発明は、複数の送信機を有する基地局と複数の移動局との間で複数の搬送波周波数を用いてＴＤＭＡ通信を行う移動通信システムにおいて、前記移動局は、基地局に対して、チャネル割当て要求又はチャネル切替え要求を行い、前記基地局は、チャネル切替え要求のあったタイムスロットを未使用のタイムスロットとみなして、全ての前記送信機が使用していないタイムスロットを検出し、前記移動局に、該検出したタイムスロットにおけるチャネルを割当てることを特徴とする。
【００１３】
請求項４に記載された発明は、複数の送信機を有する基地局と複数の移動局との間で複数の搬送波周波数を用いてＴＤＭＡ通信を行う移動通信システムにおける基地局において、前記移動局からチャネル割当て要求を受信する手段と、全ての前記送信機が使用していないタイムスロットを検出する手段と、前記移動局に、上記検出したタイムスロットにおけるチャネルを割当てる手段とを有することを特徴とする。
【００１４】
請求項５に記載された発明は、複数の送信機を有する基地局と複数の移動局との間で複数の搬送波周波数を用いてＴＤＭＡ通信を行う移動通信システムにおける基地局において、前記移動局からチャネル切替え要求を受信する手段と、該チャネル切替え要求のあったタイムスロットを未使用のタイムスロットとみなして、全ての前記送信機が使用していないタイムスロットを検出する手段と、前記移動局に、上記検出したタイムスロットにおけるチャネルを割当てる手段とを有することを特徴とする。
【００１５】
【発明の実施の形態】
次に、本発明の実施の形態について図面と共に説明する。
本発明のチャネル割当フローを図１に示す。
複数の送信機を有する基地局と複数の移動局との間で複数の搬送波周波数を用いてＴＤＭＡ通信を行う移動通信システムにおけるチャネル（周波数及びタイムスロット）割当て方法であって、移動局からのチャネル割当て要求を受けた場合のチャネル割当て方法である。
【００１６】
基地局は、移動局からのチャネル割当て要求を受けると（Ｓ１０）、各々の送信機における未使用タイムスロットの全てを検出する（Ｓ１２）。基地局は、検出の結果に基づき、全ての送信機において使用されていないタイムスロットの有無を判断する（Ｓ１４）。
全ての送信機において使用されていないタイムスロットがある場合（Ｓ１４：ＹＥＳ）、基地局は、該タイムスロットの中で空きチャネルを検出し（Ｓ１６）、空きチャネルの有無の判断を行う（Ｓ２０）。
【００１７】
基地局は、空きチャネルがある場合（Ｓ２０：ＹＥＳ）、チャネル割当を行う（Ｓ２４）。
一方、空きチャネルがないと判断された場合（Ｓ２０：ＮＯ）及び全ての送信機において使用されていないタイムスロットがないと判断された場合（Ｓ１４：ＮＯ）は、従来と同じく、全ての未使用タイムスロットの中から空きチャネルを検出する（Ｓ１８）。空きチャネルの有無の判断を行い（Ｓ２２）、空きチャネルがある場合（Ｓ２２：ＹＥＳ）は、チャネル割当を行う（Ｓ２４）。一方、全ての未使用タイムスロットの中からも空きチャネルがない場合はチャネル割当拒否を行う（Ｓ２６）。
【００１８】
なお、上記説明において、基地局における空きチャネルの検出は、例えば、基地局が使用する周波数の受信レベルを測定することにより行う。
つまり、基地局が使用する全周波数について、定期的に又は移動局からのチャネル割当て要求又はチャネル切替要求を受けた時、当該周波数の受信電界を測定する。受信電界強度が所定レベル以上の周波数の場合は、他の移動通信システム等で使用しているとみなして、その周波数は空きチャネルとはしない。しかし、受信電界強度が所定レベル以下の周波数については、空きチャネルとして検出する。
【００１９】
本発明の他のチャネル割当フローを図２に示す。
複数の送信機を有する基地局と複数の移動局との間で複数の搬送波周波数を用いてＴＤＭＡ通信を行う移動通信システムにおけるチャネル（周波数及びタイムスロット）割当て方法で、移動局からのチャネル切替要求を受け場合のチャネル割当て方法である。  基地局は、移動局からのチャネル切替要求を受けると（Ｓ３０）、各々の送信機における未使用タイムスロットの全てを検出する（Ｓ３２）。基地局は、そのとき、移動局からのチャネル切替要求を受けたチャネルのタイムスロットを未使用タイムスロットとみなして検出する。
【００２０】
以下のフローは、図１と同じであるので説明は省略する。
図３に、本発明の基地局構成を示す。
基地局５０は、従来と同様の機能を持つ２つの送信機５１、５２及び２つの受信機５３、５４と、前記図１及び図２のフローに従った制御を行う装置（以下、「未使用タイムスロット検出型制御装置」という。  ）５５で構成される。未使用タイムスロット検出型制御装置５５は、送信機５１、５２における未使用タイムスロットを検出し（Ｓ１２、Ｓ３２）、全ての送信機において、使用されていないタイムスロットの有無の判断（Ｓ１４）に先だって、空きチャネル検出を行う対象を全ての未使用タイムスロットにするか（Ｓ１８）、どの送信機においても使用されていないタイムスロットにするか（Ｓ１６）を決める機能を持つ。さらに、その決定に従い、電界レベル測定を行う搬送波周波数とタイムスロットを受信機５３、５４に伝え、２つの受信機が互いに異なるチャネルの電界レベル測定を並列に行うように制御する機能を具備する。
【００２１】
また、全ての送信機において使用されていないタイムスロットがないと判断した後（Ｓ１４：ＮＯ）に、受信機５３、５４からの電界レベル測定の結果を受けて、チャネル割当（Ｓ２４）あるいはチャネル割当拒否（Ｓ２６）を判断し（Ｓ２２）、その結果を送信機５１又は送信機５２に伝える機能も有する。さらに、全ての送信機において使用されていないタイムスロットがあると判断（Ｓ１４：ＹＥＳ）した後の空きチャネル検出で空きチャネルの有無を判断し（Ｓ２０）、空きチャネルがないと判断した場合に全ての未使用タイムスロットを対象に再度空きチャネル検出を行うように制御する機能及び空きチャネルがあると判断した場合にチャネル割当を送信機５１あるいは送信機５２に対して行う機能も具備する。チャネル割当をする際に未使用タイムスロット検出型制御装置５５は搬送波周波数とタイムスロットを指定する。
【００２２】
なお、基地局５０における空きチャネルの検出は、例えば、未使用タイムスロット検出型制御装置５５の指示に基づき、基地局５０が使用する全周波数について、受信機５３、５４が、受信レベルを測定することにより行う。
つまり、基地局５０が使用する全周波数について、定期的に又は移動局からのチャネル割当て要求又はチャネル切替要求を受けた時、未使用タイムスロット検出型制御装置５５の指示に基づき、当該周波数の受信電界を測定する。そのとき、受信電界強度が所定レベル以下の周波数については、空きチャネルとして検出する。
【００２３】
【発明の効果】
以上説明したように、本発明は、他の送信機がチャネルを割当てていないスロット番号のチャネルを割当てるので、基地局内の他の送信機からの廻り込み波を回避することができる。
また、廻り込み波を回避するための装置や空間距離を必要としないため、基地局の小型化、経済化を損なうことなく送信相互変調の影響を低減することができる。
【図面の簡単な説明】
【図１】本発明のチャネル割当フロー（その１）である。
【図２】本発明のチャネル割当フロー（その２）である。
【図３】本発明の基地局の構成例を説明するための図である。
【図４】２ＴＲＸ構成のＴＤＭＡ無線通信システムのチャネル割当例を説明するための図である。
【図５】従来のチャネル割当フローである。
【図６】従来の基地局の構成例を説明するための図である。
【符号の説明】
５０、７０  基地局
５１、５２    送信機
５３、５４    受信機
５５    未使用タイムスロット検出型制御装置
７５    制御装置
【図１】
0003556538.tif 000002
【図２】
0003556538.tif 000003
【図３】
0003556538.tif 000004
【図４】
0003556538.tif 000005
【図５】
0003556538.tif 000006
【図６】
0003556538.tif 000007